(57)【要約】【課題】着脱自在、交換自在および再生自在の構造を有する環境保護的傘を、提供する。【解決手段】中棒１、着脱自在の骨アセンブリ２、着脱自在の上部ノッチ部３、着脱自在の下ろくろ４、着脱自在のハンドル５および着脱自在の傘カバー６を有する。骨アセンブリ２は、上部ノッチ部３および下ろくろ４にピボット式に固定される。上部ノッチ部３は、中棒１のトップ部に固定される。下ろくろ４は、中棒１に摺動自在に保持される。ハンドル５は、中棒１の下部に着脱自在に固定される。傘カバー６は、上部ノッチ部３および骨アセンブリ２に、着脱自在に固定される。したがって、傘の分解に関し、メンテナンス容易性および傘パーツの経済的再生利用を向上させる。【選択図】図１
2008029801.tif 000002
【特許請求の範囲】
【請求項１】
中棒、着脱自在の骨アセンブリ、着脱自在の上部ノッチ部、着脱自在の下ろくろ、着脱自在のハンドル、および、着脱自在の傘カバーを含んでいる要素を、有する傘であって、
前記骨アセンブリは、前記上部ノッチ部および前記下ろくろにピボット式に固定され、
前記上部ノッチ部は、前記中棒のトップ部に固定され、
前記下ろくろは、前記中棒に摺動自在に保持され、
前記ハンドルは、前記中棒の下部に着脱自在に固定され、
前記傘カバーは、前記上部ノッチ部および前記骨アセンブリに、着脱自在に固定されており、
前記要素を取外す際に、前記要素は、前記傘から個々に取外される
ことを特徴とする傘。
【請求項２】
前記傘に取り付けられ、前記中棒から少なくとも１つの前記要素を取外すための分解手段を、さらに有することを特徴とする請求項１に記載の傘。
【請求項３】
前記骨アセンブリは、少なくとも１つのトップ骨を有し、
前記トップ骨は、前記トップ骨の内側端部に形成され、前記上部ノッチ部にピボット式に固定されるピボットを有する
ことを特徴とする請求項１に記載の傘。
【請求項４】
前記ピボットは、前記トップ骨の内側部に形成されかつ可鍛性金属コアの周辺に配置されるＵ字状の内側ジョイント部を、プレスし、前記内側ジョイント部を貫通して形成される一対のピボット穴を経由し、前記ピボットを外側に向って突出させることによって、形成されている
ことを特徴とする請求項３に記載の傘。
【請求項５】
前記内側ジョイント部は、プラスチック成形プロセスによって、前記トップ骨と一体的に形成されていることを特徴とする請求項４に記載の傘。
【請求項６】
前記骨アセンブリは、トップ骨および前記トップ骨にピボット式に固定される少なくとも１つの受け骨を有し、
前記受け骨は、前記受け骨の内側端部に形成されかつ前記下ろくろにピボット式に固定される受け骨ピボットを有する
ことを特徴とする請求項１に記載の傘。
【請求項７】
前記受け骨ピボットは、前記受け骨と一体的に形成される内側ジョイント部に、形成されていることを特徴とする請求項６に記載の傘。
【請求項８】
前記受け骨は、前記トップ骨に形成される中間ピボットによって前記トップ骨の中間部にピボット式に固定される外側端部を有し、
前記トップ骨は、前記傘カバーの外周に形成されるボール状先端と係合する外側端部を有する
ことを特徴とする請求項６に記載の傘。
【請求項９】
前記骨アセンブリは、トップ骨、前記トップ骨に形成される中間ピボット、および少なくとも１つの受け骨を有し、
前記受け骨は、前記中間ピボットにおいて、前記トップ骨にピボット式に固定されており、
前記トップ骨の前記中間ピボットと、前記受け骨の内側端部に形成される受け骨ピボットとの間により定義される受け骨長さＢは、前記トップ骨の前記中間ピボットと、前記トップ骨の内側端部に形成されるピボットとの間により定義される長さＡより、大きいことを特徴とする請求項１に記載の傘。
【請求項１０】
前記骨アセンブリは、複数のトップ骨を有し、
前記上部ノッチ部は、上部スリーブ、上部ピボットフェルール、ナットおよびキャップ部材を含んでおり、
前記上部スリーブは、前記中棒の上部に着脱自在に係合され、
前記上部ピボットフェルールは、前記トップ骨をピボット式に固定するために、前記上部スリーブに連結され、
前記ナットは、前記上部ピボットフェルールと前記ナットとの間のワッシャによってパックされており、前記上部ピボットフェルールを前記上部スリーブに固定するために、前記上部スリーブと係合され、
前記キャップ部材は、前記上部ノッチ部において固定され、また、前記ナットと前記傘カバーの中央つば部とを覆うために、前記中棒のトップ部に固定されている
ことを特徴とする請求項１に記載の傘。
【請求項１１】
前記上部スリーブは、上部管部材、フランジ、雄ねじ部および複数のスロットを含んでおり、
前記上部管部材は、前記上部管部材を長手方向に切断している複数のスリット、および、前記上部管部材の内壁に形成される複数の弾性キーを有し、前記弾性キーは、前記上部ノッチ部を前記中棒に着脱自在に固定するために、前記中棒に形成される複数のキー穴と、着脱自在に係合し、
前記フランジは、前記上部管部材の下部の周囲に形成され、また、複数のほぞ穴を有し、前記ほぞ穴は、前記上部ピボットフェルールを前記フランジに連結するために、前記フランジに形成されており、
前記雄ねじ部は、前記ナットおよび前記キャップ部材を係合するために、前記上部管部材の上部に形成され、
前記スロットは、前記傘を開閉する際に、前記スロットによって前記トップ骨のピボット動作を許容するために、前記フランジに放射状に形成されている
ことを特徴とする請求項１０に記載の傘。
【請求項１２】
前記上部ピボットフェルールは、複数のピボットソケット、複数のほぞ、管状拡張部および複数の凹部を含んでおり、
前記ピボットソケットは、前記上部ピボットフェルールにおいて放射状に形成されており、前記トップ骨に形成される複数のピボットをピボット式に係合し、前記トップ骨を前記上部ピボットフェルールにピボット式に固定し、
前記ほぞは、前記上部ピボットフェルールから下方に突出しており、前記上部スリーブに形成されるほぞ穴に係合され、
前記管状拡張部は、前記ワッシャを係合するために、前記上部ピボットフェルールから上方に突出しており、
前記凹部は、前記ワッシャに形成される複数のボトム突起を係合するために、前記上部ピボットフェルールの上面に形成されている
ことを特徴とする請求項１０に記載の傘。
【請求項１３】
前記ワッシャは、前記ワッシャを放射状にカットして形成される複数のスロットを含んでおり、前記傘カバーあるいは前記骨アセンブリを取外すために、前記傘を上方に向かって逆にする際に、前記ワッシャの前記スロットを介する前記トップ骨のピボット動作が、許容されることを特徴とする請求項１０に記載の傘。
【請求項１４】
前記ナットは、雌ねじ穴および複数の外側歯を含んでおり、
前記雌ねじ穴は、前記ナットの中央部に形成されており、前記上部スリーブの前記雄ねじ部と係合し、
前記外側歯は、前記ナットの周囲かつ円周方向に形成されており、前記ナットを回転駆動して、前記ナットを前記ワッシャおよび前記上部ピボットフェルールに固定し、前記上部ノッチ部を、前記中棒に確実に固定するように、適合されている
ことを特徴とする請求項１０に記載の傘。
【請求項１５】
前記キャップ部材は、前記キャップ部材を貫通して形成されかつ前記上部スリーブの雄ねじ部に係合される雌ねじ穴を、含んでおり、前記ナット、前記ワッシャおよび前記傘カバーの中心部を覆うために、前記キャップ部材と前記上部スリーブとを係合させる
ことを特徴とする請求項１０に記載の傘。
【請求項１６】
前記下ろくろは、下部スリーブおよび下部ピボットフェルールを含んでおり、
前記下部スリーブは、前記中棒に摺動自在に保持され、
前記下部ピボットフェルールは、複数の受け骨を前記下部ピボットフェルールにピボット式に固定するために、前記下部スリーブに連結される
ことを特徴とする請求項１に記載の傘。
【請求項１７】
前記下部スリーブは、長手方向スロット、複数の突起およびノッチ部を含んでおり、
前記長手方向スロットは、前記下部スリーブを貫通して形成されており、前記傘を閉じる際に、下部キャッチを外側に突出させることで、前記中棒にロックされ、
前記突起は、上方へ突出しており、前記下部ピボット式フェルールの底部を窪ませて形成される複数の突起用穴と係合し、
前記ノッチ部は、前記下部スリーブの上部をカットして形成されており、再生利用のために前記下ろくろおよび傘を取外す際に、分解手段を前記ノッチ部に挿入して、前記下部スリーブから前記下部ピボット式フェルールを取外すように、適合されている
ことを特徴とする請求項１６に記載の傘。
【請求項１８】
前記下部ピボット式フェルールは、複数の下部ソケットおよび下部管状拡張部を含んでおり、
前記下部ソケットは、前記下部ピボット式フェルールの下部を窪ませて形成されており、前記受け骨に形成される複数の受け骨ピボットとピボット式に係合し、前記受け骨を前記下ろくろにピボット式に固定し、
前記下部管状拡張部は、前記下部ピボット式フェルールから下方に突出しており、また、環状リングを有し、
前記環状リングは、前記下部管状拡張部の円周方向に形成されており、前記下部スリーブを窪ませて環状に形成される環状溝と、着脱自在に係合される
ことを特徴とする請求項１６に記載の傘。
【請求項１９】
前記中棒は、前記中棒の上部に固定される上限手段を含んでおり、
前記上限手段は、前記傘が開かれる場合、前記中棒に弾性的に形成される上部キャッチによってロックされた前記下ろくろが上方に移動する際に、前記下ろくろを制止する
ことを特徴とする請求項１６に記載の傘。
【請求項２０】
前記上限手段は、ラッチ、引張ばねおよび上部プラグを含んでおり、
前記ラッチは、前記下ろくろを制止するため、通常、前記中棒の上部に形成される上部ラッチ穴を経由し、外側に向かって突出しており、
前記引張ばねは、前記ラッチを外側に向かって弾性的に付勢し、
前記上部プラグは、ばねソケットを有し、前記中棒の上部に挿入され、
前記ばねソケットは、前記引張ばねを格納するために、前記上部プラグに形成されており、
前記傘を取外す場合、前記ラッチを内向きに押し下げて、前記上部ラッチ穴に対する前記ラッチの係合を解除すると、前記下ろくろは、上方へ移動し、前記中棒から分離される
ことを特徴とする請求項１９に記載の傘。
【請求項２１】
前記ハンドルは、グリップおよび下部カップリング手段を有し、
前記グリップは、下方に窪んで形成される管ソケットを有しており、前記中棒の下部が前記管ソケットに挿入され、
前記下部カップリング手段は、前記中棒と前記グリップを連結するために、前記中棒の下部に固定されている
ことを特徴とする請求項１に記載の傘。
【請求項２２】
前記下部カップリング手段は、下部ラッチ、下部引張ばねおよび下部プラグを有し、
前記下部ラッチは、前記グリップと前記中棒を連結するため、通常、前記中棒の下部に形成される下部ラッチ穴を経由して突出し、かつ、前記グリップを貫通して形成されるラッチ開口部の内へ突出しており、
前記下部引張ばねは、前記下部ラッチを外側に向かって弾性的に付勢し、
前記下部プラグは、ばねチャンバを有し、前記中棒の下部に挿入され、
前記ばねチャンバは、前記下部引張ばねを格納するために、前記下部プラグに形成されており、
前記下部ラッチを内向きに押し下げて、前記ラッチ開口部に対する前記下部ラッチの係合を解除すると、前記ハンドルの前記グリップは、前記中棒から取外される
ことを特徴とする請求項２１に記載の傘。
【請求項２３】
前記ハンドルは、さらに縦型引張ばねを有し、
前記縦型引張ばねは、前記中棒の下部に形成されるリテーナと、前記グリップの前記管ソケットの底部と、の間に保持されており、前記中棒を上方へ弾性的に付勢することで、前記中棒と前記グリップとの間に前記下部ラッチを確実に保持し、前記ハンドルを前記中棒に良好に連結する
ことを特徴とする請求項２１に記載の傘。
【請求項２４】
前記傘カバーは、中央つば部、複数のシース部および複数のボール状先端を有し、
前記中央つば部は、前記上部ノッチ部において固定され、
前記シース部は、前記傘カバーの中央部に同心円をなして固定され、また、前記傘カバーの中央部を、前記骨アセンブリのトップ骨に固定するため、前記トップ骨が、各シース部に挿入されており、
前記ボール状先端は、前記傘カバーの周囲かつ円周方向に形成されており、各ボール状先端は、各トップ骨の外側端部に挿入されて係合する
ことを特徴とする請求項１に記載の傘。
【請求項２５】
前記分解手段は、リング部材、レバー部および針状部を有し、
前記リング部材は、前記リング部材の内壁に環状に形成される複数の内側歯を有し、
前記内側歯は、前記上部ノッチ部のナットを駆動することで、上部ノッチ部が前記中棒から取外されるように適合されており、
前記レバー部は、前記リング部材から半径方向に突出しており、前記下ろくろを取外すため、下部ピボットフェルールに連結されている下部スリーブに形成されるノッチ部と係合し、前記下部ピボットフェルールを偏らせて、前記下部スリーブから分離し、
前記針状部は、前記リング部材から半径方向に突出しており、前記ハンドルを前記中棒から取外すため、下部カップリング手段を内向きに押し下げる
ことを特徴とする請求項２に記載の傘。
【発明の詳細な説明】
【技術分野】
【０００１】
本発明は、着脱自在、交換自在および再生自在の構造を有する環境保護的傘に関する。
【背景技術】
【０００２】
従来の傘構造は、複数の親骨および関連要素を含んでおり、これらは、メンテナンスあるいは再生利用の用途のために、傘から取り外される（例えば、特許文献１参照。）。
【特許文献１】実用新案登録第３０８６８４６号公報
【発明の開示】
【発明が解決しようとする課題】
【０００３】
しかし、このような従来技術は、以下の問題点を有する。
【０００４】
１．親骨および関連パーツ（例えば、上ろくろや石づき）のみが、傘から取外すことが可能であり、受け骨や下ろくろ等の要素は、傘構造体から容易に取外すことができない。したがって、経済的あるいは環境保護的利用を、なお制限している。
【０００５】
２．傘から傘カバーを取外すための機構を開示していない。通常、傘カバー（あるいは傘地）は、傘骨に縫われているため、傘骨を取外す時には必ず、傘カバーから分離する必要がある。そのため、傘骨を取外す場合、複雑なあるいは時間のかかる仕事が生じる。
【０００６】
３．下ろくろおよびハンドルを、傘から容易に取外すための方法を教示していない。
【０００７】
本発明は、上記従来技術に伴う課題を解決するためになされたものであり、着脱自在、交換自在および再生自在の構造を有する環境保護的傘を、提供することを目的とする。
【課題を解決するための手段】
【０００８】
上記目的を達成するための本発明は、
中棒、着脱自在の骨アセンブリ、着脱自在の上部ノッチ部、着脱自在の下ろくろ、着脱自在のハンドル、および、着脱自在の傘カバーを含んでいる要素を、有する傘であって、
前記骨アセンブリは、前記上部ノッチ部および前記下ろくろにピボット式に固定され、
前記上部ノッチ部は、前記中棒のトップ部に固定（係合）され、
前記下ろくろは、前記中棒に摺動自在に保持され、
前記ハンドルは、前記中棒の下部に着脱自在に固定され、
前記傘カバーは、前記上部ノッチ部および前記骨アセンブリに、着脱自在に固定されており、
前記要素を取外す際に、前記要素は、前記傘から個々に取外される
ことを特徴とする傘である。
【発明の効果】
【０００９】
本発明によれば、傘の取外し（分解）に関し、メンテナンス容易性および傘パーツの経済的再生利用を向上させる。したがって、着脱自在、交換自在および再生自在の構造を有する環境保護的傘を、提供することができる。
【発明を実施するための最良の形態】
【００１０】
以下、本発明の実施の形態を、図面を参照しつつ説明する。
【００１１】
図１は、本発明に係る傘要素を説明するための分解図、図２は、図１から組立てられた、本発明に係る傘を示している図、図３は、本発明に係るトップ骨を示している図、図４は、図３に示されるトップ骨を変形した、本発明に係る別のトップ骨を示している図、図５は、本発明に係る上部ノッチ部のパーツおよびトップ骨の一部を示している分解斜視図、図６は、傘カバーが内部に固定されている上部ノッチ部の断面図、図７は、トップ骨を内部にピボット式に固定するための上部ノッチ部の部分断面図、図８は、トップ骨が内部にピボット式に固定されている上部ノッチ部の部分断面図、図９は、本発明に係る下ろくろの斜視図、図１０は、本発明に係る下ろくろの断面図、図１１は、下ろくろのピボットフェルールの底面図、図１２は、図２を部分的に拡大して示している、下ろくろの上限手段の断面図、図１３は、本発明に係るハンドルと中棒の下部との係合を説明するための部分断面図、図１４は、上方に向けて逆転させた場合における、本発明に係る骨アセンブリに固定される傘カバーを説明するための図、図１５は、本発明に係る骨アセンブリから分離あるいは取外された傘カバーを説明するための図、図１６は、本発明に係る分解手段を説明するための図、図１７は、本発明に係る上部ノッチ部を取外すために提供される分解手段を説明するための斜視図、図１８は、本発明に係る下ろくろを取外すために提供される分解手段を説明するための斜視図、図１９は、本発明に係るハンドルを取外すために提供される分解手段を説明するための斜視図である。
【００１２】
図に示されるように、本発明に係る経済保護的傘は、中棒１、着脱自在の骨アセンブリ２、着脱自在の上部ノッチ部３、着脱自在の下ろくろ４、着脱自在のハンドル５、着脱自在の傘カバー６および分解手段７を有する。骨アセンブリ２は、上部ノッチ部３および下ろくろ４にピボット式に固定される。上部ノッチ部３は、中棒１のトップ部に固定される。下ろくろ４は、中棒１に摺動自在に保持される。ハンドル５は、中棒１の下部に着脱自在に固定される。傘カバー６は、上部ノッチ部３および骨アセンブリ２に、着脱自在に固定される。分解手段７は、本発明に係る関連要素あるいはパーツを取外すためのものであり、本発明において特に限定されないが、例えば、中棒１あるいは傘カバー６に固定（ｆａｓｔｅｎ）あるいは連結（ｔｉｅ）することによって、本発明に係る傘に、取り付けられる。
【００１３】
中棒１は、上端部（ｔｏｐ  ｔｉｐ）１０、複数のキー穴１１、上部キャッチ（留め具）１２、下部キャッチ１３、分岐状下端部（ｂｏｔｔｏｍ  ｅｎｄ  ｐｏｒｔｉｏｎ）１４および下部ラッチ穴１５を有する。上端部１０は、中棒１の上端部を覆っている。キー穴１１は、中棒１の上部に形成されており、上部ノッチ部３に形成される弾性キー３１１ｐと係合し、上部ノッチ部３を中棒１の上部に固定するために使用される。上部キャッチ１２は、中棒１の上部に弾性的に形成されており、傘を開く際に、下ろくろ４をロックするために使用される。下部キャッチ１３は、中棒１の下部に弾性的に形成されており、傘を閉じる際に、下ろくろ４をロックするために使用される。分岐状下端部１４は、ハンドル５に形成される凹部５１２に挿入されて係合される。下部ラッチ穴１５は、中棒１の下部に形成され、カップリング手段５２の下部ラッチ５２１を、外側に向かって突出させるために使用される。カップリング手段５２は、中棒１の下部に固定され、ハンドル５と中棒１を連結するために使用される。
【００１４】
骨アセンブリ２は、トップ骨２１および受け骨２２を有する。トップ骨２１は、上部ノッチ部３にピボット式に固定される内側ジョイント部２１ｊを有する。受け骨２２は、トップ骨２１に、ピボット式に固定され、また、中棒１に摺動自在に保持される下ろくろ４に、ピボット式に固定される。
【００１５】
図に示される傘は、単折り畳み（ｓｉｎｇｌｅ−ｆｏｌｄ）傘であるけれども、本発明は、これに特に限定されず、複数折り畳み（ｍｕｌｔｉｐｌｅ−ｆｏｌｄ）傘に変形することも可能である。
【００１６】
図３に示されるように、各トップ骨２１は、ピボット２１２を有する。ピボット２１２は、トップ骨２１の内側端部に形成されており、上部ノッチ部３に、ピボット式に固定される。
【００１７】
ピボット２１２は、可鍛性金属コア２１０の周辺に配置されかつトップ骨２１の内側部に形成されたＵ字状の内側ジョイント部２１ｊを、プレスし、内側ジョイント部２１ｊを貫通して形成される一対のピボット穴２１１を経由し、ピボット２１２を外側に向って突出させることによって、形成することが可能である。内側ジョイント部２１ｊを、金属から形成し、そして、プラスチック材から形成されるトップ骨２１に、固定することも可能である。
【００１８】
内側ジョイント部２１ｊは、図４に示されるように、プラスチック成形プロセスによって、トップ骨２１と一体化させて形成することも可能である。
【００１９】
各受け骨２２は、同様に、受け骨ピボット２２２を有する。受け骨ピボット２２２は、受け骨２２の内側端部に形成され、下ろくろ４にピボット式に固定される。
【００２０】
受け骨ピボット２２２は、受け骨２２に固定あるいは一体的に形成される内側ジョイント部に、形成することが可能である。
【００２１】
受け骨２２は、トップ骨２１に形成される中間ピボット２１４によって、トップ骨２１の中間部にピボット式に固定される外側端部を有する。
【００２２】
トップ骨２１の外側端部２１３は、傘カバー６の外周に形成されるボール状先端（ｂａｌｌ  ｔｉｐ）６３に係合される。
【００２３】
図１、図１４および図１５に示されるよう、中間ピボット２１４と、受け骨２２の内側端部に形成される受け骨ピボット２２２との間により定義される受け骨の長さＢは、中間ピボット２１４と、トップ骨２１の内側端部に形成されるピボット２１２との間により定義される長さＡより、大きい（長い）。
【００２４】
上部ノッチ部３は、特に、図５〜８に示されるように、上部スリーブ３１、上部ピボットフェルール３２、ナット３３およびキャップ部材３４を含んでいる。上部スリーブ３１は、中棒１の上部に着脱自在に係合される。上部ピボットフェルール３２は、骨アセンブリ２の複数のトップ骨２１をピボット式に固定するために、上部スリーブ３１に連結される。ナット３３は、上部ピボットフェルール３２とナット３３との間のワッシャ３３０によってパックされており、上部ピボットフェルール３２を上部スリーブ３１に固定するために、上部スリーブ３１と係合される。キャップ部材３４は、上部ノッチ部３において締結されており、ナット３３と傘カバー６の中央つば部６１とを覆うために、中棒１のトップ部に固定される。
【００２５】
上部スリーブ３１は、上部管部材３１１、フランジ３１２、雄ねじ部３１０および複数のスロット３１４を含んでいる。上部管部材３１１は、上部管部材３１１を長手（縦）方向に切断している複数のスリット３１１ｓ、および、上部管部材３１１の内壁に形成される複数の弾性キー３１１ｐを有する。弾性キー３１１ｐは、上部ノッチ部３を中棒１に着脱自在に固定するために、中棒１に形成される複数のキー穴１１と、着脱自在に係合する。フランジ３１２は、上部管部材３１１の下部の周囲（環状）に形成され、複数のほぞ穴３１３を有する。ほぞ穴３１３は、上部ピボットフェルール３２をフランジ３１２に連結するために、フランジ３１２に形成されている。雄ねじ部３１０は、ナット３３およびキャップ部材３４を係合するために、上部管部材３１１の上部に形成されている。傘を開閉する際に、スロット３１４を介するトップ骨２１のピボット動作を許容するために、スロット３１４は、フランジ３１２に、放射状（半径方向）に形成されている。
【００２６】
上部ピボットフェルール３２は、複数のピボットソケット３２１、複数のほぞ（ｔｅｎｏｎ）３２２、管状拡張部３２０および複数の凹部３２３を含んでいる。ピボットソケット３２１は、上部ピボットフェルール３２において放射状に形成されており、トップ骨２１に形成される複数のピボット２１２をピボット式に係合し、トップ骨２１を上部ピボットフェルール３２にピボット式に固定する。ほぞ３２２は、上部ピボットフェルール３２から下方に突出しており、上部スリーブ３１に形成されるほぞ穴３１３に係合される。管状拡張部３２０は、ワッシャ３３０を係合するために、上部ピボットフェルール３２から上方に突出している。凹部３２３は、ワッシャ３３に形成される複数のボトム突起３３０ｐを係合するために、上部ピボットフェルール３２の上面に形成される。
【００２７】
ワッシャ３３０は、ワッシャ３３を放射状にカットして形成される複数のスロット３３０ｓを含んでおり、傘カバー６あるいは骨アセンブリ２を取外すために傘を上方に向かって逆にする際に、スロット３３０ｓを介するトップ骨２１のピボット動作を許容する。
【００２８】
傘カバー６の中央つば部６１は、図６に示されるように、ワッシャ３３０とナット３３とキャップ部材３４との間に固定される。
【００２９】
ナット３３は、雌ねじ穴３３１および複数の外側歯３３ｔを含んでいる。雌ねじ穴３３１は、ナット３３の中央部に形成されており、上部スリーブ３１の雄ねじ部３１０と係合される。外側歯３３ｔは、ナット３３の周囲かつ円周方向に形成されており、ナット３３を回転駆動し、ナット３３をワッシャ３３０および上部ピボットフェルール３２に締結し、上部ノッチ部３を中棒１に確実に固定するように、適合されている。
【００３０】
キャップ部材３４は、キャップ部材３４を貫通して形成され、上部スリーブ３１の雄ねじ部３１０に係合される雌ねじ穴３４１を含んでおり、ナット３３、ワッシャ３３０および傘カバー６の中心部を覆うために、キャップ部材３４と上部スリーブ３１とを係合させる（図６参照）。
【００３１】
下ろくろ４は、下部スリーブ４１および下部ピボットフェルール４２を含んでいる。下部スリーブ４１は、中棒１に摺動自在に保持される。下部ピボットフェルール４２は、複数の受け骨２２を下部ピボットフェルール４２にピボット式に固定するために、下部スリーブ４１に連結される。
【００３２】
下部スリーブ４１は、長手方向スロット４１０、複数の突起４１１およびノッチ部４１２を含んでいる。長手方向スロット４１０は、下部スリーブ４１を貫通して形成されており、傘を閉じる際に、下部キャッチ１３を外側に突出させることで、中棒１にロックされる。突起４１１は、上方へ突出しており、下部ピボットフェルール４２の底部を窪ませて形成される複数の突起用穴４２２と係合される。ノッチ部４１２は、下部スリーブ４１の上部をカットして形成されており、再生利用のために下ろくろ４および傘を取外す際に、分解手段７がノッチ部４１２に挿入されることで、下部スリーブ４１から下部ピボットフェルール４２が取外されるように、適合されている（図９、図１０および図１８参照）。
【００３３】
下部ピボットフェルール４２は、複数の下部ソケット４２１および下部管状拡張部４２０を含んでいる。下部ソケット４２１は、下部ピボットフェルール４２の下部を窪ませて形成されており、受け骨２２に形成される複数の受け骨ピボット２２２とピボット式に係合し、受け骨２２を下ろくろ４にピボット式に固定する（図１参照）。下部管状拡張部４２０は、下部ピボットフェルール４２から下方に突出しており、環状リング４２３を有する。環状リング４２３は、下部管状拡張部４２０の円周方向に形成されており、下部スリーブ４１を窪ませて環状に形成される環状溝４１３と、着脱自在に係合される（図１０参照）。
【００３４】
上限手段１６０は、図２において破線で示されるように、中棒１の上部に固定されており、傘が開かれる場合、中棒１に弾性的に形成される上部キャッチ１２によってロックされた下ろくろ４が、上方に移動する際に、下ろくろ４を制止するために使用される。
【００３５】
上限手段１６０は、図１２に示されるように、ラッチ１６１、引張ばね１６２および上部プラグ１６３を含んでいる。ラッチ１６１は、下ろくろ４を制止するため、通常、中棒１の上部に形成される上部ラッチ穴１６を経由し、外側に向かって突出している。引張ばね１６２は、ラッチ１６１を外側に向かって弾性的に付勢している。上部プラグ１６３は、ばねソケット１６４を有し、中棒１の上部に挿入される。ばねソケット１６４は、引張ばね１６２を格納するために、上部プラグ１６３に形成されている。したがって、傘を取外す場合、ラッチ１６１を内向きに押し下げて、上部ラッチ穴１６に対するラッチ１６１の係合を解除すると、下ろくろ４は、上方へ移動し、中棒１から分離することが可能である。
【００３６】
図１、図２および図１３に示されるように、ハンドル５は、グリップ５１および下部カップリング手段５２を有する。グリップ５１は、下方に窪んで形成される管ソケット５１１を有しており、中棒１の下部が管ソケット５１１に挿入される。下部カップリング手段５２は、中棒１とグリップ５１を連結するために、中棒１の下部に固定されている。
【００３７】
下部カップリング手段５２は、下部ラッチ５２１、下部引張ばね５２２および下部プラグ５２３を有する。下部ラッチ５２１は、グリップ５１と中棒１を連結するため、通常、中棒１の下部に形成される下部ラッチ穴１５を経由して突出し、かつ、グリップ５１を貫通して形成されるラッチ開口部５１３の内へ突出している。下部引張ばね５２２は、下部ラッチ５２１を外側に向かって弾性的に付勢する。下部プラグ５２３は、ばねチャンバ５２４を有し、中棒１の下部に挿入される。ばねチャンバ５２４は、下部引張ばね５２２を格納するために、下部プラグ５２３に形成されている。したがって、下部ラッチ５２１を内向きに押し下げて、ラッチ開口部５１３に対する下部ラッチ５２１の係合を解除すると、ハンドル５のグリップ５１は、中棒１から取外す（分離する）ことが可能である。
【００３８】
ハンドル５は、さらに縦型（垂直）引張ばね５３を有する。縦型引張ばね５３は、中棒１の下部に形成されるリテーナ１４１と、グリップ５１の管ソケット５１１の底部と、の間に保持されており、中棒１を上方へ弾性的に付勢することで、中棒１とグリップ５１との間に下部ラッチ５２１を確実に保持し、ハンドル５を中棒１に良好に連結する。
【００３９】
図２、図１４および図１５に示されるように、傘カバー６は、特に、中央つば部６１、複数のシース部６２および複数のボール状先端６３を有する。中央つば部６１は、上部ノッチ部３において固定される。シース部６２は、ドーム状に傘カバー６の中央部に同心円をなして固定される。傘カバー６の中央部をトップ骨２１に固定するため、トップ骨２１が、各シース部６２に挿入されている。ボール状先端６３は、傘カバー６の周囲かつ円周方向に形成されている。各ボール状先端６３は、各トップ骨２１の外側端部２１３に挿入されて係合する。したがって、図１４および図１５に示されるように、骨アセンブリ２のトップ骨２１および受け骨２２を逆さにすると、服地の着用者から服地を脱がせるように、傘カバー６を骨アセンブリ２から取外することが可能である。
【００４０】
受け骨２２の長さＢが、トップ骨２１の内側骨部の長さＡより大きいため（Ｂ＞Ａ）、骨アセンブリ２を、図１４および図１５に示されるように、上方に向かって逆にすることが可能であり、骨アセンブリ２からの傘カバー６の容易な取り外しを許容する。
【００４１】
図１６〜１９に示されるように、分解手段７は、リング部材７１、レバー部７３および針状部７４を有する。リング部材７１は、リング部材７１の内壁に環状に形成される複数の内側歯７２を有する。内側歯７２は、図１７に示されるように、上部ノッチ部３のナット３３を駆動することで、上部ノッチ部３が中棒１から取外されるように適合されている。レバー部７３は、リング部材７１から半径方向に突出しており、下部ピボットフェルール４２に連結されている下部スリーブ４１に形成されるノッチ部４１２と係合し、下部ピボットフェルール４２を偏らせて（バイアスして）、下部スリーブ４１から分離し、下ろくろ４を取外すために使用される（図１８参照）。針状部７４は、リング部材７１から半径方向に突出しており、下部カップリング手段５２を内向きに押し下げて、ハンドル５を中棒１から取外すために使用される（図１９参照）。
【００４２】
本発明に係る傘の要素を取外すために、骨アセンブリ２および傘カバー６が、図１４および図１５に示されるように、上方に向かって逆にされると、まず、傘カバー６が、骨アセンブリ２から除去され、取り外される。
【００４３】
そして、キャップ部材３４およびナット３３は、上部ノッチ部３を取外すために、逆回転させられる。上限手段１６０は、ラッチ１６１を内向きに押し下げるように、操作される。下ろくろ４が、ラッチ１６１によってもはや制限されていないため、下ろくろ４、骨アセンブリ２および上部ノッチ部３は、中棒１から上方に向かって取り外される。
【００４４】
最終的に、上部ノッチ部３、トップ骨２１、受け骨２２および下ろくろ４は、メンテナンスのために交換自在、あるいは再利用のために再生される多数の要素あるいはパーツに、それぞれ分解される。
【００４５】
他の取り外し手法あるいは方法は、本発明において制限されず、さらに選択可能である。
【００４６】
本発明は、以下の点で、従来技術より優れている。
【００４７】
１．傘カバー、骨、上部ノッチ部、下ろくろおよびハンドルを含んでいる全てのパーツが、傘の全部の再生のために、完全に取外すことができ、より良い環境保護のために有益である。
【００４８】
２．傘カバー６および関連する骨の長さの新規なデザインのため、すなわち、受け骨２２の長さＢが、トップ骨２１の内側骨部の長さＡより、大きいため（すなわちＢ＞Ａ）、受け骨２２およびトップ骨２１を、傘カバー６の容易な取り外しのために、上方に向かってスムーズに逆にすることが可能である。一旦、傘カバー６が容易に除去されると、上部ノッチ部３、トップ骨２１、受け骨２２および下ろくろ４を含む他のパーツは、それに応じて、容易に取外されることになる。したがって、関連するパーツあるいは要素を、容易にメンテナンス、修理、および、新しいパーツと交換し、費用を節約することが可能である。
【００４９】
３．傘の生産は、より容易になり、生産時間および費用を削減することが可能である。例えば、トップ骨２１が、傘カバー６のシース部６２に挿入されて固定されるため、傘カバーとトップ骨２１との従来の裁縫が除去される。
【００５０】
４．傘が完全に取外すことができるため、個々の損傷したパーツあるいは要素を、個々に新品と交換することで、メンテナンス利便性を向上させ、メンテナンスコストを削減し、また、個人的な好みあるいはＤＩＹ（ドゥ・イット・ユアセルフ）趣味のために、ユーザの興味を豊かにすることができる。
【００５１】
本発明はまた、容易に組立てることが可能である。例えば、図１４に示される傘カバー６、トップ骨２１および受け骨２２は、メンテナンス後あるいは新品の傘カバーの交換後において、通常の使用のために、下方に向けて逆にすることができる。
【００５２】
なお、本発明は、上述した実施の形態に限定されるものではなく、本発明の趣旨および
特許請求の範囲の範囲から逸脱することなく、特許請求の範囲の範囲内で種々改変することができる。
【図面の簡単な説明】
【００５３】
【図１】本発明に係る傘要素を説明するための分解図である。
【図２】図１から組立てられた、本発明に係る傘を示している図である。
【図３】本発明に係るトップ骨を示している図である。
【図４】図３に示されるトップ骨を変形した、本発明に係る別のトップ骨を示している図である。
【図５】本発明に係る上部ノッチ部のパーツおよびトップ骨の一部を示している分解斜視図である。
【図６】傘カバーが内部に固定されている上部ノッチ部の断面図である。
【図７】トップ骨を内部にピボット式に固定するための上部ノッチ部の部分断面図である。
【図８】トップ骨が内部にピボット式に固定されている上部ノッチ部の部分断面図である。
【図９】本発明に係る下ろくろの斜視図である。
【図１０】本発明に係る下ろくろの断面図である。
【図１１】下ろくろのピボットフェルールの底面図である。
【図１２】図２を部分的に拡大して示している、下ろくろの上限手段の断面図である。
【図１３】本発明に係るハンドルと中棒の下部との係合を説明するための部分断面図である。
【図１４】上方に向けて逆転させた場合における、本発明に係る骨アセンブリに固定される傘カバーを説明するための図である。
【図１５】本発明に係る骨アセンブリから分離あるいは取外された傘カバーを説明するための図である。
【図１６】本発明に係る分解手段を説明するための図である。
【図１７】本発明に係る上部ノッチ部を取外すために提供される分解手段を説明するための斜視図である。である。
【図１８】本発明に係る下ろくろを取外すために提供される分解手段を説明するための斜視図である。
【図１９】本発明に係るハンドルを取外すために提供される分解手段を説明するための斜視図である。
【符号の説明】
【００５４】
１・・中棒、
２・・骨アセンブリ、
３・・上部ノッチ部、
５・・ハンドル、
６・・傘カバー、
７・・分解手段、
１０・・上端部、
１１・・キー穴、
１２・・上部キャッチ、
１３・・下部キャッチ、
１４・・分岐状下端部、
１５・・下部ラッチ穴、
１６・・上部ラッチ穴、
２１・・トップ骨、
２１ｊ・・内側ジョイント部、
２２・・受け骨、
３１・・上部スリーブ、
３２・・上部ピボットフェルール、
３３・・ナット、
３３ｔ・・外側歯、
３４・・キャップ部材、
４１・・下部スリーブ、
４２・・下部ピボットフェルール、
５１・・グリップ、
５２・・下部カップリング手段、
６１・・中央つば部、
６２・・シース部、
６３・・ボール状先端、
７１・・リング部材、
７２・・内側歯、
７３・・レバー部、
７４・・針状部、
１４１・・リテーナ、
１６０・・上限手段、
１６１・・ラッチ、
１６３・・上部プラグ、
１６４・・ばねソケット、
２１０・・可鍛性金属コア、
２１１・・ピボット穴、
２１２・・ピボット、
２１３・・外側端部、
２１４・・中間ピボット、
２２２・・受け骨ピボット、
３１０・・雄ねじ部、
３１１・・上部管部材、
３１１ｓ・・スリット、
３１１ｐ・・弾性キー、
３１２・・フランジ、
３１３・・ほぞ穴、
３１４・・スロット、
３２０・・管状拡張部、
３２１・・ピボットソケット、
３２３・・凹部、
３３０・・ワッシャ、
３３０ｓ・・スロット、
３３０ｐ・・ボトム突起、
３３１・・雌ねじ穴、
３４１・・雌ねじ穴、
４１０・・長手方向スロット、
４１１・・突起、
４１２・・ノッチ部、
４１３・・環状溝、
４２０・・下部管状拡張部、
４２１・・下部ソケット、
４２２・・突起用穴、
４２３・・環状リング、
５１１・・管ソケット、
５１２・・凹部、
５１３・・ラッチ開口部、
５２１・・下部ラッチ、
５２３・・下部プラグ、
５２４・・ばねチャンバ、
Ａ，Ｂ・・長さ。
【図１】
2008029801.tif 000003
【図２】
2008029801.tif 000004
【図３】
2008029801.tif 000005
【図４】
2008029801.tif 000006
【図５】
2008029801.tif 000007
【図６】
2008029801.tif 000008
【図７】
2008029801.tif 000009
【図８】
2008029801.tif 000010
【図９】
2008029801.tif 000011
【図１０】
2008029801.tif 000012
【図１１】
2008029801.tif 000013
【図１２】
2008029801.tif 000014
【図１３】
2008029801.tif 000015
【図１４】
2008029801.tif 000016
【図１５】
2008029801.tif 000017
【図１６】
2008029801.tif 000018
【図１７】
2008029801.tif 000019
【図１８】
2008029801.tif 000020
【図１９】
2008029801.tif 000021